(57)【要約】      （修正有）【課題】商品にくじ付の表示したラベルを貼付することで、商品の販売促進を向上させることができる優待情報システムおよび値下ラベルを提供する。【解決手段】ホストコンピュータ１００に通信可能に接続されたレジスター２００と、このレジスター２００に、バーコードを読み取るバーコード読取部と、印字部と、を有し、ホストコンピュータに記憶された優待情報記憶部１５０と、を備え、商品４００に貼付した値下ラベル５００に印字した値下用バーコードをバーコード読取部で読み取る値下用バーコード読取ステップと、値下用バーコードを解析して優待情報の有無を判断する優待情報判断ステップと、優待情報判断ステップで、優待情報が有ると判断した場合には、優待情報記憶部に記憶された優待情報を読み出す優待情報読出ステップと、読み出された優待情報を印字部で印字する優待印字ステップと、を有する。【選択図】図１
2009134454.tif 000002
【特許請求の範囲】
【請求項１】
店舗内にホストコンピュータと、レジスターと、を配置し、
前記ホストコンピュータと通信可能に接続された前記レジスターと、
このレジスターは、商品に付されたバーコードを読み取るバーコード読取部と、印字部と、を有し、
前記ホストコンピュータ又は前記レジスターに記憶された優待情報記憶部を備え、
商品に貼付した値下ラベルに印字した値下用バーコードを前記バーコード読取部で読み取る値下用バーコード読取ステップと、
読み取られた前記値下用バーコードを解析して優待情報の有無を判断する優待情報判断ステップと、
前記優待情報判断ステップで、優待情報が有ると判断した場合には、前記優待情報記憶部に記憶された優待情報を読み出す優待情報読出ステップと、
読み出された前記優待情報を前記印字部で印字する優待情報印字ステップと、を有したことを特徴とする優待情報システム。
【請求項２】
値下情報を表示された値下ラベルにおいて、
値下価格または値引き情報を表示した値下情報部と、
値下価格を示す値下用バーコードを表示した値下用バーコード部と、有し、
前記値下用バーコードに優待情報を示す優待コードを備えたことを特徴とする値下ラベル。
【請求項３】
前記優待コードには、くじ付であることを示す情報を有してあることを特徴とする請求項２記載の値下ラベル。
【発明の詳細な説明】
【技術分野】
【０００１】
本発明は、デパート・スーパー・コンビニ（コンビニエンス・ストアー）などで販売されている商品の値下情報を印字したラベルを貼付した値下ラベルおよび優待情報システムに関する。
【背景技術】
【０００２】
スーパーなどでは、パッケージや商品自体あるいは商品に付したラベルに印刷されたバーコードをレジスターのバーコードリーダで読み取って、買い上げの清算を行うと共に、売上げの管理などに役立てている。
また、生鮮食料品等の商品においては、消費期限が迫ると値下げをすることがあるが、この場合、「１０％引き」などの値下情報を表示した値下ラベルを商品に貼付して、販売促進が行われている。
値下げした商品（以下、「見切り商品」という。）については、たとえば、買い上げ時に、レジスターのバーコードリーダで値下げ前の通常価格を読み取り、値下げ額（率）キーを押下した後に買い上げの清算を行っている。
【０００３】
また、衣料・菓子・飲料など、スーパーで予め選択された商品を見切り商品として、販売促進が行われている場合がある。この場合の見切り商品は、新しい商品に入れ替えたい場合などがあり、早期に販売終了したい商品とすることがある。
しかし来店者は、見切り商品であっても商品自体にあまり魅力がなければ購入しない場合がある。
【０００４】
また、くじ付きラベルを商品に付け、販売促進を行う場合があるが、くじ付きラベルが剥がされて持ち去られたりする問題がある。
また、くじ付きラベルを商品に貼付し、商品を購入後、くじ付ラベルに表示したアドレスに基づいて、インターネットを介して指定されたアドレスに接続し、くじ付きラベルに印字された数字を入力して、指定したアドレス転送するようになっている。
この場合には、パソコン（パーソナル・コンピュータ）あるいは携帯電話などを必要とするので、パソコンあるいは携帯電話を利用されていない購入者は、くじ付きの商品に興味が薄れて販売促進に不十分となる問題がある。
【０００５】
このように見切り商品の販売促進が十分行えない場合には、見切り商品の売れ残りが多くなり残った商品を破棄しなければならない問題がある。
【０００６】
特許文献１には、カメラ付き携帯電話により読み取れる二次元バーコードを利用したくじ付きペットボトルのキャンペーン商品が開示されてある。
【０００７】
【特許文献１】特開２００６−３１７６５４号公報
【発明の開示】
【発明が解決しようとする課題】
【０００８】
本発明は斯かる問題点を鑑みてなされたものであり、商品の販売促進を向上させることができる優待情報システムおよび値下ラベルを提供することを課題とする。
また本発明は、店舗内でくじの結果を確認することができる優待情報システムおよび値下ラベルを提供することを課題とする。
【課題を解決するための手段】
【０００９】
本発明は、梱包箱の底面を支持することに着目したもので、請求項１記載の発明の要旨は、店舗内にホストコンピュータと、レジスターと、を配置し、前記ホストコンピュータと通信可能に接続された前記レジスターと、このレジスターは、商品に付されたバーコードを読み取るバーコード読取部と、印字部と、を有し、前記ホストコンピュータ又は前記レジスターに記憶された優待情報記憶部を備え、商品に貼付した値下ラベルに印字した値下用バーコードを前記バーコード読取部で読み取る値下用バーコード読取ステップと、読み取られた前記値下用バーコードを解析して優待情報の有無を判断する優待情報判断ステップと、前記優待情報判断ステップで、優待情報が有ると判断した場合には、前記優待情報記憶部に記憶された優待情報を読み出す優待情報読出ステップと、読み出された前記優待情報を前記印字部で印字する優待情報印字ステップと、を有したことを特徴とする優待情報システムにある。
また請求項２記載の発明の要旨は、値下情報を表示された値下ラベルにおいて、値下価格または値引き情報を表示した値下情報部と、値下価格を示す値下用バーコードを表示した値下用バーコード部と、有し、前記値下用バーコードに優待情報を示す優待コードを備えたことを特徴とする値下ラベルにある。
また請求項３記載の発明の要旨は、前記優待コードには、くじ付であることを示す情報を有してあることを特徴とする請求項２記載の値下ラベルにある。  
【発明の効果】
【００１０】
本発明の優待情報および値下ラベルは、商品の販売促進を向上させることができ、商品を破棄することを極めて低減することができる。
また店舗内で、くじの結果を確認することができるので、携帯電話やパソコンを利用されていない来店者も商品の購入を促進させることができる。
【発明を実施するための最良の形態】
【００１１】
本発明の実施の形態を図１および図４に基づいて説明する。
図１は本発明の優待情報システムの一例を示した全体構成図であり、図２はレジスターの一例を示した電気的構成図であり、図３はホストコンピュータの記憶部に記憶された値下データベースと、優待情報データベースであり、図４は本発明の値下ラベルの一例を示した平面図であり、図５は優待情報システムのフローチャート図である。
【００１２】
優待情報システムは、スーパー（スーパーマーケット）などの店舗内に配置されたホストコンピュータ１００と、レジスター２００とからなり、ホストコンピュータとレジスターとは、ＬＡＮ３００を介して接続され、各種データの送受信を行うことができるようになっている。尚、店舗内には、複数台のレジスター２００・・・２００が配置されている。
【００１３】
ホストコンピュータ１００は、記憶部１１０と、通信制御部１２０と、各部を制御する制御部、入力部、表示部（いずれも図示せず）が設けられている。
通信制御部１２０は、ＬＡＮ３００を介してレジスター２００と通信可能に設けられ、各種のデータ及び記憶部１１０に記憶された後述する値下情報データベース（値下情報ＤＢ）１４０と、優待情報データベース（優待情報ＤＢ）１５０の情報を呼び出しレジスター２００に送信することができるように設けられている。
【００１４】
また通信制御部１２０は、レジスター２００から送信されてくる商品４００に付されたバーコード４１０などの情報を受信して、当該バーコード４１０に対する商品４００に関する商品情報を後述する商品情報ＤＢ１３０から検索して、レジスター２００に送信可能に設けられている。
尚、ホストコンピュータ１００の入力部は、商品などの各種データやコマンドを入力することができ、また表示部は、商品などの各種データを表示することができる。
本実施の商品は、缶コーヒー４００として説明し、缶コーヒー４００に付したバーコード４１０はメーカーコードとアイテムコードを有したＪＡＮコードとして説明する。
【００１５】
レジスター２００は、商品として説明する缶コーヒー４００に付されたバーコード４１０あるいは各種のバーコードを読み取るバーコード読取部２２０を備え、読み取ったバーコード情報はＬＡＮ３００を介してホストコンピュータ１００に送信することができる。
【００１６】
レジスター２００は、缶コーヒー４００の価格の演算および各部を制御する制御部２１０と、商品情報や各種データやコマンドを入力するための入力部２３０と、商品情報や各種データを表示する表示部２４０と、商品情報や各種データを記憶する記憶部２５０と、バーコードを読み取るバーコード読取部２２０と、通信制御部２６０と、レシート印字部２７０と、優待情報印字部２８０と、から構成されている。
【００１７】
入力部２３０は、商品の金額を入力可能なテンキーと、その他商品に関する必要なキーを備えている。表示部２４０は、商品コード、商品名あるいは価格などの情報を表示可能な液晶表示部（図示せず）を設けられている。
【００１８】
記憶部２５０は、バーコード読取部２２０で読み取られたバーコードのコードを記憶することができ、またホストコンピュータ１００からの送信されてきた各種の商品情報（商品名、商品コード、価格、優待情報など）を記憶することができる。
通信制御部２６０は、ホストコンピュータ１００と通信可能に設けることができ、各種の商品情報などを送受することができる。
レシート印字部２７０は、ホストコンピュータ１００から送られてきた商品コード、商品名、価格などの商品情報は、感熱発色層を有したサーマル紙（図示せず）に印字することができるように、サーマルヘッドおよびプラテンローラ（何れも図示せず）が配置されている。
【００１９】
また優待情報印字部２８０は、ホストコンピュータ１００から送られてくる優待情報は、感熱発色層を有したサーマル紙（図示せず）に印字することができるように、サーマルヘッドおよびプラテンローラ（何れも図示せず）が配置されている。
【００２０】
ホストコンピュータ１００の記憶部１１０には、商品情報データベース（商品情報ＤＢ）１３０と、値下情報データベース（値下情報ＤＢ）１４０と、優待情報データベース（優待情報ＤＢ）１５０とが記憶されている。
商品情報ＤＢ１３０は、図示しないが主に商品に付されたバーコードの商品コードと、商品名と、通常価格などが商品毎に互いに関連づけて記憶されている。
商品コードは、ＪＡＮコードに表示されたメーカーコードとアイテムコードを記憶され、商品名は、食品、衣料、雑貨などの各種商品名が記憶され、通常価格は、商品に対する通常販売される通常価格が記憶されている。
【００２１】
値下情報ＤＢ１４０は主に、商品コード欄１４１と、商品名欄１４２と、値下価格１４３などを有し、商品コード毎に互いに関連づけて記憶されている。
商品コード欄１４１は、商品毎に付された固有のコード（メーカーコード、アイテムコード）を記憶することができ、商品名欄１４２は、食品、衣料、雑貨などの各種の商品名が記憶されている。
また、値下価格欄１４３は、通常価格より特別に割引した価格を記憶することができる。
【００２２】
例えば、商品コード欄１４１の「□□□□□△△△△△」には、この商品コードに対応して、商品名欄１４２に「缶コーヒー」、値下価格１４３に「８８」円が関連して記憶されている。また、商品コード欄１４１の「□□□□□△△□□□」には、この商品コードに対応して、商品名欄１４２に「牛乳」、値下価格欄１４３に「１９８」円が関連して記憶されている。また商品コード欄１４１の「□□△△△□□□△△」には、この商品コードに対応して、商品名欄１４２に「Ｙシャツ」、値下価格欄１４３に「１４８０」円が関連して記憶されている。
【００２３】
優待情報データベース１５０は主に、優待コード欄１５１と、優待内容欄１５２とを有し、優待コード毎に互いに関連づけて記憶されている。
優待コード欄１５１は、後述する値下ラベルに印字された、値下用バーコード部５４０に有した後述する優待コード５５１に対応するコード（数字）が登録されている。
また、優待内容欄１５２は、優待情報としての各種の優待内容が記憶されている。
【００２４】
例えば、優待コード欄１５１の「０」には、このコードに対応して、優待内容欄１５２が空欄とし登録され、優待情報がないことを示し、互いに関連づけられて記憶されている。
また、優待コード欄１５１の「１」には、このコードに対応して、優待内容欄１５２に、「次回の清算時に２倍ポイント  ○○月△△日まで」の情報が記憶され、互いに関連づけられて記憶されている。
また、優待コード欄１５１の「２」には、このコードに対応して、優待内容欄１５２に、「次回の清算時に１００円引き  ○○月△△日まで」の情報が記憶され、互いに関連づけられて記憶されている。
【００２５】
次に、値下ラベル５００に付いて説明する。
値下ラベル５００は紙媒体から成り、一方面に印字面を有し、他方面に粘着面を形成して商品４００に貼付することができる。
印字面には、優待情報見出し部５１０、コメント部５２０、値下価格部５３０、値下用バーコード部５４０と、解説文字部５５０を有している。
【００２６】
優待情報部見出し部５１０は、商品の優待情報を示す情報を印字をすることができ、この実施の形態では「くじ付  優待商品」と印字してある。
コメント部５２０は、「レジで優待券が発券されると当たりです  ○○月△△日まで」と印字され、優待期間などの印字をすることができる。
値下価格部５３０は、商品の値下げした価格を印字することができる。
【００２７】
また、値下用バーコード部には、くじ付バーコード（図示せず）を表示することができる。くじ付バーコードには、くじ付の情報（優待コード）を含めた、くじ付バーコード（図示せず）を印字することができ、このくじ付バーコードの下側に、くじ付バーコードと同一の内容を印字した解説文字５５０が印字されている。
尚、くじ付バーコードをスキャンすることにより、解説文字と同一の数字が読み取られる。
この商品４００の解説文字５５０の印字例として、「９□□□□□△△△△△１Ｃ」として印字することができる。
【００２８】
この商品４００の解説文字５５０の「９」は、優待情報付き値下価格の商品であることを示し、解説文字５５０「□□□□□」は、メーカーコードを示し、「△△△△△」は、アイテムコードを示している。
また、解説文字５５０の「１」は、優待コード５５１を示し、「Ｃ」は、チェックデジットを示している。
尚、チェックデジットの「Ｃ」は、この実施例では、判りやすく「Ｃ」としたが、解説文字には、所定の演算を行った結果の数字が印字され、バーコードも同一の数字として読み取られる。
【００２９】
次に、値下システムの処理手順について説明する。
尚、この実施の形態では、缶コーヒー（商品）４００に値下ラベル５００を貼付した例で説明する。
ステップＳ１において、ホストコンピュータ１００の図示しない制御部により、ＬＡＮ３００を介してレジスター２００から送信されたバーコード情報が通信制御部１２０を介して受信されたか否かが判定される。
その結果、ＬＡＮ３００を介してレジスター２００から送信されたバーコードの情報が通信制御部１２０を介して受信されていないと判定された場合、ステップＳ１の処理が繰り返し実行される。
【００３０】
一方、ＬＡＮ３００を介してレジスター２００から送信されたバーコードの情報が通信制御部１２０を介して受信されたと判定された場合、ステップＳ２に進む。
ステップＳ２においては、制御部により、ＬＡＮ３００を介してレジスター２００から送信されてきたバーコードの情報が、くじ付バーコードか否かを判断する。
くじ付バーコードをスキャンした場合（値下用バーコード読取ステップ）には、ステップＳ３に進み、他のコード体系のバーコード、例えば、ＪＡＮコードをスキャンした場合は、商品情報ＤＢ１３０からＪＡＮコードに対応する商品情報（商品コード、商品名、価格）などを呼び出して、ステップＳ８に進み、通信制御部１２０を介してレジスター２００に送信することができる。
【００３１】
くじ付バーコードと判断した場合にはステップＳ３に進み、ステップＳ３では、値下ＤＢ１４０を検索することができる。
缶コーヒー４００に貼付された値下ラベル５００のくじ付バーコード部５４０のメーカーコードおよび商品コードから、値下情報ＤＢ１４０を検索し、商品名「缶コーヒー」、価格「８８」、を検索結果として呼び出すことができ、次にステップＳ４に進む。
【００３２】
ステップＳ４では、くじ付バーコード部５４０の優待コード５５１に基づいて優待情報ＤＢ１５０を検索することができる。
優待コード欄１５１の優待コードが「０」の場合は、優待情報が空欄なので、優待がない情報とすることができる。また、優待コードが「１」の場合には、「次回の清算時に２倍ポイント  ○○月△△日まで」の優待情報が呼び出される。また、優待コードドが「２」の場合には、「次回の清算時に１００円引き  ○○月△△日まで」の優待情報が呼び出される。
この実施の形態では、優待コードが「１」の情報が記録さされているので、「次回の清算時に２倍ポイント  ○○月△△日まで」の優待情報が呼び出し（優待情報読出ステップ）、ステップＳ５に進む。
【００３３】
ステップＳ５において、ステップＳ４の検索した情報に基づいて、優待情報がないと判断した場合、ステップＳ８に進み、ステップＳ４の検索した情報に基づいて、優待情報があると判断した場合（優待情報判断ステップ）には、ステップＳ６に進む。
優待情報がない場合には、ステップＳ８に進み、ホストコンピュータ１００は、図示しない制御部の指令により、図示しない通信制御部を制御して、商品情報ＤＢから呼び出された商品情報をＬＡＮ３００を介して、商品名、商品コード、値下価格をレジスター２００に送信して終了する。
【００３４】
ステップＳ６において、ホストコンピュータ１００は、商品情報としての商品名、商品コード、値下価格などの情報とともに、優待情報ＤＢ１５０から呼び出された優待情報をＬＡＮ３００を介して、優待情報をレジスター２００に送信（優待情報送信ステップ）して、ステップＳ７に進む。
【００３５】
ステップＳ７おいて、商品情報および優待情報がある場合には優待情報をレジスター２００の記憶部２５０に記憶することができる。
制御部２１０は、商品コード・商品名・値下価格を示す情報を記憶部２１３より読み出して表示部２１２に供給する。これにより、表示部２１２には、商品コード。商品名・値下価格が表示される。
また制御部２１０は、記憶部２５０に記憶された優待情報を優待情報印字部２８０に転送して優待情報を図示しないサーマル紙に印字することができる。
この実施の形態では、「次回の清算時に２倍ポイント  ○○月△△日まで」の優待情報が印字される（優待情報印字ステップ）。
【００３６】
優待情報印字部２８０で印字された優待情報は、優待情報印字部２８０に設けた図示しない切断手段より切断して優待券（図示せず）として発行することができる。
商品の精算は、記憶部２５０に記憶された値下価格を呼び出して演算した結果と、商品名などとともにレシート印字部２７０に転送してレシート（図示せず）を発行することができる。
【００３７】
尚、他の商品をスキャンすることにより他の商品の商品情報をホストコンピュータ１００から商品情報として得ることができ、レジスター２００は、商品の合計金額を精算して、レシート印字部２７０からレシートを発行するように指令することができる。
【００３８】
このように、優待情報を有した値下ラベルを商品に貼付することにより、値下をした価格に、くじ情報（優待情報）を示す情報として付加価値を有しているので、来店者は購買意欲が向上させることができ、商品の販促促進に寄与することができる。
【００３９】
この実施の形態では、店舗内での商品情報や優待情報をＬＡＮを介して説明したが、無線あるいは有線であってもよい。
また、値下バーコードに代えて２次元コード、ＯＣＲ文字など読み取り可能な情報であれば何れでもよい。
また、ホストコンピュータに優待情報記憶部を備えた例で説明したが、レジスターに優待情報記憶部を設けることができる。
【００４０】
この実施の形態では、値下用ラベルに値下価格として数字で印字することを説明したが、割引率などであってもよい。
さらに、この実施の形態のバーコードは、ＪＡＮコードと値下バーコードとを読取部で読み取り可能に説明したが、ＪＡＮコードのメーカーコード及び商品コードと、値下コードのメーカーコード及び商品コードを読み取った場合には、値下バーコードを値下価格を優先するようにホストコンピュータが判断することができる。
【００４１】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【図面の簡単な説明】
【００４２】
【図１】本発明の優待情報システムの一例を示した全体構成図である。
【図２】同上、レジスターの一例を示した電気的構成図である。
【図３】同上、ホストコンピュータの記憶部に記憶された値下情報データベースと、優待情報データベースである。
【図４】同上、値下ラベルの一例を示した平面図である。
【図５】同上、優待情報システムのフローチャート図である。
【符号の説明】
【００４３】
１００      ホストコンピュータ
１１０      記憶部
１５０      優待情報ＤＢ（優待情報記憶部）
２００      レジスター
２２０      バーコード読取部
２７０      レシート印字部
２８０      優待情報印字部
３００      ＬＡＮ
４００      商品（缶コーヒー）
５００      値下ラベル    
５３０      値下価格部（値下情報部）
５４０      値下用バーコード（くじ付バーコード部
５５１      優待コード
【図１】
2009134454.tif 000003
【図２】
2009134454.tif 000004
【図３】
2009134454.tif 000005
【図４】
2009134454.tif 000006
【図５】
2009134454.tif 000007